(57)【要約】【課題】  外光反射を抑制し，画面のコントラストを向上させるためのパネル構造を有するプラズマディスプレイパネルを提供する。【解決手段】  互いに対向配置される第１及び第２基板；第１及び第２基板に各々提供される放電維持電極及びアドレス電極；第１及び第２基板の間の空間に配置されて放電セルと非放電領域を形成する隔壁；各々の放電セル内に形成される蛍光層；を含み，  非放電領域は，隣接した放電セルの中心を結ぶ放電セル横軸と，隣接した放電セルの中心を結ぶ放電セル縦軸とによって囲まれた領域内に配置され，第１基板の外側面又は隔壁が形成される層と第２基板との間において，非放電領域に対応する位置には，外光吸収部が形成される。【選択図】    図２
2005019405.tif 000002
【特許請求の範囲】
【請求項１】
互いに対向配置される第１基板及び第２基板；
前記第２基板に形成されるアドレス電極；
前記第１基板と前記第２基板との間の空間に配置されて複数の放電セルと非放電領域を区画する隔壁；
前記各々の放電セル内に形成される蛍光体層；及び
前記第１基板の前記アドレス電極と交差する方向に形成される放電維持電極；を含み，
前記非放電領域は，隣接した放電セルの中心を結ぶ放電セル横軸と，隣接した放電セルの中心を結ぶ放電セル縦軸とによって囲まれた領域内に配置され，少なくとも前記放電セルを形成する各隔壁の上端幅よりさらに大きな幅を有し，前記第２基板と前記隔壁が形成される層間において前記非放電領域に対応する位置に形成される外光吸収部；を含む，
ことを特徴とするプラズマディスプレイパネル。
【請求項２】
前記外光吸収部は，前記非放電領域の平面形状に近い形状を有する，ことを特徴とする請求項１に記載のプラズマディスプレイパネル。
【請求項３】
前記隣接した放電セルを区画する隔壁が前記非放電領域をセル構造に形成する，ことを特徴とする請求項１に記載のプラズマディスプレイパネル。
【請求項４】
前記セル構造に形成される非放電領域が対角に隣接した放電セルを区画する，ことを特徴とする請求項３に記載のプラズマディスプレイパネル。
【請求項５】
前記各々の放電セルは，前記アドレス電極の長さ方向に沿って位置する両端部の幅が前記放電セルの中心から遠くなるほど狭く形成される，ことを特徴とする請求項１に記載のプラズマディスプレイパネル。
【請求項６】
前記隔壁は，前記アドレス電極と平行な方向の第１隔壁部材と，前記アドレス電極と平行せずに前記第１隔壁部材を連結する第２隔壁部材とを含む，ことを特徴とする請求項１に記載のプラズマディスプレイパネル。
【請求項７】
前記第２隔壁部材は，前記アドレス電極方向に傾斜した角度に前記第１隔壁部材と交差する，ことを特徴とする請求項６に記載のプラズマディスプレイパネル。
【請求項８】
前記外光吸収部は，前記誘電層に隣接するように提供される，ことを特徴とする請求項１に記載のプラズマディスプレイパネル。
【請求項９】
前記外光吸収部は前記誘電層上に提供される，ことを特徴とする請求項８に記載のプラズマディスプレイパネル。
【請求項１０】
前記誘電層上に前記非放電領域と対応する溝が備えられると共に，当該溝内部に前記外光吸収部が位置する，ことを特徴とする請求項８に記載のプラズマディスプレイパネル。
【請求項１１】
前記外光吸収部は，黒色膜である，ことを特徴とする請求項８に記載のプラズマディスプレイパネル。
【請求項１２】
前記外光吸収部は，前記非放電領域に対応する前記誘電層の一部が外光吸収機能のある着色部からなる，ことを特徴とする請求項１に記載のプラズマディスプレイパネル。
【請求項１３】
前記着色部は，黒色顔料と青色顔料のうちのいずれか一つ又はこれらの混合物を含んで形成される，ことを特徴とする請求項１２に記載のプラズマディスプレイパネル。
【請求項１４】
前記黒色顔料は，ＦｅＯ，ＲｕＯ２，ＴｉＯ，Ｔｉ３Ｏ５，Ｎｉ２Ｏ３，ＣｒＯ２，ＭｎＯ２，Ｍｎ２Ｏ３，Ｍｏ２Ｏ３，Ｆｅ３Ｏ４，及びこれらの混合物からなる群より少なくとも一つ以上選択される顔料である，ことを特徴とする請求項１３に記載のプラズマディスプレイパネル。
【請求項１５】
前記青色顔料は，Ｃｏ２Ｏ３，ＣｏＯ，Ｎｄ２Ｏ３，及びこれらの混合物からなる群より少なくとも一つ以上選択される顔料である，ことを特徴とする請求項１３に記載のプラズマディスプレイパネル。
【請求項１６】
前記各々の放電維持電極は，前記各放電セルに一対が対応するバス電極と，前記バス電極から前記各放電セルの中心に向かって延在し，一対が互いに対向するように形成される突出電極とを含み，
前記突出電極は，前記放電セルの両端部に対応する後端部が前記放電セルの中心から遠くなるほど幅が狭く形成され，
前記各放電セルに対応する一対の突出電極のうちの少なくとも一側の突出電極の端部に凹部が形成され，互いに対向する突出電極間に，互いに異なる大きさの第１放電ギャップと第２放電ギャップが形成される，
ことを特徴とするプラズマディスプレイパネル。
【請求項１７】
前記放電セルの内部は，Ｘｅを１０％以上含有する放電ガスで満たされる，ことを特徴とする請求項１６に記載のプラズマディスプレイパネル。
【請求項１８】
前記放電ガスはＸｅを１０〜６０％含有する，ことを特徴とする請求項１６に記載のプラズマディスプレイパネル。
【請求項１９】
前記放電維持電極は，前記各々の放電セルに一対が対応するように配置される走査電極と共通電極とで構成され，前記走査電極と共通電極の各々は，前記各放電セルの内部に各々延在して対向するように形成される突出電極を含み，
前記突出電極は，前記放電セルの両端部に対応する後端部の幅が，互いに対向する各突出電極対向部での幅より狭く形成され，
前記アドレス電極は，長さ方向に沿ったライン部と，前記走査電極との対向部分で走査電極の突出電極形状に対応してライン部から拡張された拡張部と，を備えた，
ことを特徴とする請求項１に記載のプラズマディスプレイパネル。
【請求項２０】
前記アドレス電極の拡張部が前記突出電極の対向部と対向する部分で第１幅が形成され，前記突出電極の後端部と対向する部分で第１幅より狭い第２幅が形成される，ことを特徴とする請求項１９に記載のプラズマディスプレイパネル。
【請求項２１】
前記放電維持電極は，前記各々の放電セルに一対ずつ対応するように配置される走査電極と共通電極とで構成され，
前記走査電極と共通電極の各々は，前記アドレス電極と交差する方向に沿って延在するバス電極と，前記バス電極から各放電セルの内部に各々延在して互いに対向するように形成される突出電極とを含み，
前記共通電極（Ｘｎ）のバス電極は，毎２列の放電セルごとに隣接する放電セルの間に一つずつ配置され，走査電極（Ｙａ，Ｙｂ）のバス電極は，前記共通電極（Ｘｎ）のバス電極の両側に配置される，
ことを特徴とする請求項１に記載のプラズマディスプレイパネル。
【請求項２２】
前記共通電極（Ｘｎ）の突出電極は，前記共通電極（Ｘｎ）のバス電極からその両側に隣接する放電セルの内部を向かって各々延在して形成される，
ことを特徴とする請求項２１に記載のプラズマディスプレイパネル。
【請求項２３】
前記共通電極（Ｘｎ）のバス電極は前記走査電極のバス電極の幅より広く形成される，ことを特徴とする請求項２１に記載のプラズマディスプレイパネル。
【請求項２４】
対向配置される第１基板と第２基板との間の空間に放電セルと非放電領域とに区画されるプラズマ放電構造を有するプラズマディスプレイパネルを製造する方法において，
前記第２基板の第１基板対向面上にアドレス電極を形成する段階；
前記第２基板に，前記アドレス電極を覆うように基板の一面全体に誘電層を形成する段階；
前記非放電領域に区画される位置に，前記誘電層に隣接するように外光吸収部を形成する段階；
前記誘電層上部に隔壁を形成して放電セルと非放電領域とを区画する段階；及び
前記各々の放電セル内に蛍光体層を形成する段階；を含む
ことを特徴とするプラズマディスプレイパネルの製造方法。
【請求項２５】
前記外光吸収部を形成する段階は，前記誘電層上に黒色顔料を塗布する段階である，ことを特徴とする請求項２４に記載のプラズマディスプレイパネルの製造方法。
【請求項２６】
前記外光吸収部を形成する段階は，前記非放電領域に区画される誘電層部分に溝を形成し，当該溝に黒色顔料を塗布する段階である，ことを特徴とする請求項２４に記載のプラズマディスプレイパネルの製造方法。
【請求項２７】
互いに対向配置される第１基板及び第２基板；
前記第２基板に形成されるアドレス電極；
前記第１基板と第２基板との間の空間に配置されて複数の放電セルと非放電領域を区画する隔壁；
前記各々の放電セル内に形成される蛍光体層；及び
前記第１基板の前記アドレス電極と交差する方向に形成される放電維持電極；を含み，
前記非放電領域は，隣接した放電セルの中心を結ぶ放電セル横軸と，隣接した放電セルの中心を結ぶ放電セル縦軸とによって囲まれた領域内に配置され，少なくとも前記放電セルを形成する各隔壁の上端幅よりさらに大きな幅を有し，前記第１基板の外側面において，前記非放電領域に対応する位置に形成される外光吸収部を含む，
ことを特徴とするプラズマディスプレイパネル。
【請求項２８】
前記外光吸収部は，前記非放電領域の平面形状に近い形状を有する，ことを特徴とする請求項２７に記載のプラズマディスプレイパネル。
【請求項２９】
前記外光吸収部は，前記第１基板の外側面に所定の深さを有するように溝が形成されると共に，当該溝には光吸収物質が満たされる，ことを特徴とする請求項２７に記載のプラズマディスプレイパネル。
【請求項３０】
前記溝の深さは，１００〜３００μｍの範囲に属する，ことを特徴とする請求項２９に記載のプラズマディスプレイパネル。
【請求項３１】
前記光吸収物質が黒色を有する，ことを特徴とする請求項２９に記載のプラズマディスプレイパネル。
【請求項３２】
前記隣接した放電セルを区画する隔壁が前記非放電領域をセル構造に形成する，ことを特徴とする請求項２７に記載のプラズマディスプレイパネル。
【請求項３３】
前記各々の放電セルは，前記アドレス電極の長さ方向に沿って位置する両端部の幅が前記放電セルの中心から遠くなるほど狭く形成される，ことを特徴とする請求項２７に記載のプラズマディスプレイパネル。
【請求項３４】
前記各々の放電維持電極は，前記各放電セルに一対が対応するバス電極と，前記バス電極から前記各放電セルの中心に向かって延在し，一対が互いに対向するように形成される突出電極とを含み，
前記突出電極は，前記放電セルの両端部に対応する後端部が前記放電セルの中心から遠くなるほど幅が狭く形成され，
前記各放電セルに対応する一対の突出電極のうちの少なくとも一側の突出電極の端部に凹部が形成され，互いに対向する突出電極の間に，互いに異なる大きさの第１放電ギャップと第２放電ギャップが形成される，
ことを特徴とする請求項２７に記載のプラズマディスプレイパネル。
【請求項３５】
前記放電セルの内部は，Ｘｅを１０％以上含有する放電ガスで満たされる，ことを特徴とする請求項３４に記載のプラズマディスプレイパネル。
【請求項３６】
前記放電ガスは，Ｘｅを１０〜６０％含有する，ことを特徴とする請求項３４に記載のプラズマディスプレイパネル。
【請求項３７】
前記放電維持電極は，前記各々の放電セルに一対が対応するように配置される走査電極と共通電極とで構成され，前記走査電極と前記共通電極の各々は，前記各放電セルの内部に各々延在して対向するように形成される突出電極を含み，
前記突出電極は，前記放電セルの両端部に対応する後端部の幅が，互いに対向する各突出電極対向部での幅より狭く形成され，
前記アドレス電極は，長さ方向に沿ったライン部と，前記走査電極との対向部分で走査電極の突出電極形状に対応し，前記ライン部から拡張された拡張部と，を備えた，
ことを特徴とする請求項２７に記載のプラズマディスプレイパネル。
【請求項３８】
前記放電維持電極は，前記各々の放電セルに一対ずつ対応するように配置される走査電極と共通電極とで構成され，
前記走査電極と共通電極の各々は，前記アドレス電極と交差する方向に沿って延在するバス電極と，前記バス電極から各放電セルの内部に各々延在して互いに対向するように形成される突出電極とを含み，
前記共通電極（Ｘｎ）のバス電極は，毎２列の放電セルごとに隣接する放電セルの間に一つずつ配置され，走査電極（Ｙａ，Ｙｂ）のバス電極は，前記共通電極（Ｘｎ）のバス電極両側に配置される，
ことを特徴とする請求項２７に記載のプラズマディスプレイパネル。
【請求項３９】
互いに対向配置される第１基板及び第２基板；
前記第２基板に形成されるアドレス電極；
前記第１基板と第２基板との間の空間に配置されて複数の放電セルと非放電領域を区画する隔壁；
前記各々の放電セル内に形成される赤，緑，青色の蛍光体層；及び
前記第１基板の前記アドレス電極と交差する方向に形成される放電維持電極；を含み，
前記非放電領域は，隣接した放電セルの中心を結ぶ放電セル横軸と，隣接した放電セルの中心を結ぶ放電セル縦軸とによって囲まれた領域内に配置され，少なくとも前記放電セルを形成する各隔壁の上端幅よりさらに大きな幅を有し，
前記放電セルのうち，輝度比が相対的に低い放電セルに塗布された蛍光体の色相に該当する顔料を含み，前記第１基板又は前記第１基板と前記第２基板との間の前記非放電領域と対応する位置に提供される色補償部；を含む，
ことを特徴とするプラズマディスプレイパネル。
【請求項４０】
前記色補償部は，赤色顔料，緑色顔料，青色顔料のうちのいずれか一つを含む，ことを特徴とする請求項３９に記載のプラズマディスプレイパネル。
【請求項４１】
前記色補償部は，前記第１基板の内面に提供される，ことを特徴とする請求項３９に記載のプラズマディスプレイパネル。
【請求項４２】
前記色補償部は，前記非放電領域内に提供される，ことを特徴とする請求項３９に記載のプラズマディスプレイパネル。
【請求項４３】
前記隣接した放電セルを区画する隔壁が前記非放電領域をセル構造に形成し，前記非放電領域をなすセル内に前記色補償部が提供される，ことを特徴とする請求項４２に記載のプラズマディスプレイパネル。
【請求項４４】
前記色補償部は，前記第１基板の内面と前記非放電領域とに共に提供される，ことを特徴する請求項３９に記載のプラズマディスプレイパネル。
【請求項４５】
前記色補償部は，前記第１基板の外面に提供される，ことを特徴とする請求項３９に記載のプラズマディスプレイパネル。
【請求項４６】
前記色補償部は，前記第１基板の外面において所定の深さを有するように形成される溝と，当該溝に満たされる顔料層とからなる，ことを特徴とする請求項４５に記載のプラズマディスプレイパネル。
【請求項４７】
前記溝の深さは，１００〜３００μｍの範囲に属する，ことを特徴とする請求項４６に記載のプラズマディスプレイパネル。
【請求項４８】
前記色補償部は，前記非放電領域の平面形状に近い形状を有する，ことを特徴とする請求項３９に記載のプラズマディスプレイパネル。
【請求項４９】
前記色補償部は，その全体面積が前記第１基板面積の５０％以下である，ことを特徴とする請求項３９に記載のプラズマディスプレイパネル。
【請求項５０】
前記各々の放電セルは，前記アドレス電極の長さ方向に沿って位置する両端部の幅が前記放電セルの中心から遠くなるほど狭く形成される，ことを特徴とする請求項３９に記載のプラズマディスプレイパネル。
【請求項５１】
前記各々の放電維持電極は，前記各放電セルに一対が対応するバス電極と，前記バス電極から前記各放電セルの中心に向かって延在し，一対が互いに対向するように形成される突出電極とを含み，
前記突出電極は，前記放電セルの両端部に対応する後端部が前記放電セルの中心から遠くなるほど幅が狭く形成され，
前記各放電セルに対応する一対の突出電極のうちの少なくとも一側の突出電極の端部に凹部が形成され，互いに対向する突出電極の間に，互いに異なる大きさの第１放電ギャップと第２放電ギャップが形成される，
ことを特徴とする請求項３９に記載のプラズマディスプレイパネル。
【請求項５２】
前記放電セルの内部は，Ｘｅを１０％以上含有する放電ガスで満たされる，ことを特徴とする請求項５１に記載のプラズマディスプレイパネル。
【請求項５３】
前記放電ガスは，Ｘｅを１０〜６０％含有する，ことを特徴とする請求項５１に記載のプラズマディスプレイパネル。
【請求項５４】
前記放電維持電極は，前記各々の放電セルに一対が対応するように配置される走査電極と共通電極とで構成され，前記走査電極と前記共通電極の各々は，前記各放電セルの内部に各々延在して対向するように形成される突出電極を含み，
前記突出電極は，前記放電セルの両端部に対応する後端部の幅が互いに対向する各突出電極対向部での幅より狭く形成され，
前記アドレス電極は，長さ方向に沿ったライン部と，前記走査電極との対向部分で走査電極の突出電極形状に対応し，ライン部から拡張された拡張部と，を備えた，
ことを特徴とする請求項３９に記載のプラズマディスプレイパネル。
【請求項５５】
前記放電維持電極は，前記各々の放電セルに一対ずつ対応するように配置される走査電極と共通電極とで構成され，
前記走査電極と前記共通電極の各々は，前記アドレス電極と交差する方向に沿って延在するバス電極と，前記バス電極から前記各放電セルの内部に各々延在し，互いに対向するように形成される突出電極とを含み，
前記共通電極の前記バス電極は，毎２列の放電セルごとに隣接する放電セルの間に一つずつ配置され，前記走査電極の前記バス電極は，前記共通電極のバス電極両側に配置される，
ことを特徴とする請求項３９に記載のプラズマディスプレイパネル。
【発明の詳細な説明】
【技術分野】
【０００１】
本発明は，プラズマディスプレイパネルに関し，より詳細には，外光反射を抑制して画面のコントラストを向上させるためのパネル構造を有するプラズマディスプレイパネルに関する。
【背景技術】
【０００２】
一般に，プラズマディスプレイパネル（ＰＤＰ）は，放電セル内で起こる気体放電による真空紫外線で蛍光体を励起させて，任意の映像を実現する表示装置であって，高解像度の大画面構成が可能であるので次世代薄形表示装置として脚光を浴びている。
【０００３】
図２４は，従来の技術にかかるプラズマディスプレイパネルの部分分解斜視図である。
【０００４】
図２４に示すように，従来の一般的なＰＤＰ構造は，背面基板１００上に一方向（図面のｘ軸方向）に沿ってアドレス電極１０１が形成され，このアドレス電極１０１を覆いながら背面基板１００の全面に誘電層１０３が形成される。この誘電層１０３の上において，隣接する各アドレス電極１０１の間にストライプパターンの隔壁１０５が形成され，各々の隔壁１０５の間に赤（Ｒ），緑（Ｇ），青（Ｂ）色の蛍光体層１０７が形成される。
【０００５】
背面基板１００に対向する前面基板１１０の一面には，一対の透明電極とバス電極とで構成される放電維持電極１１２，１１３がアドレス電極１０１と交差する方向（図面のｙ軸方向）に沿って形成され，この放電維持電極１１２，１１３を覆いながら前面基板１１０全体に誘電層１１６とＭｇＯ保護膜１１８が形成される。
【０００６】
背面基板１００上のアドレス電極１０１と前面基板１１０上の放電維持電極１１４とが交差する地点が放電セルを構成する部分になり，各々の放電セルは放電ガスで満たされる。
【０００７】
上記構成により，アドレス電極１０１とある一つの放電維持電極１１２，１１３との間にアドレス電圧（Ｖａ）を印加してアドレス放電を行うことによって発光が起こる放電セルを選択し，再び一対の放電維持電極１１２，１１３の間に維持電圧（Ｖｓ）を印加して維持放電させる。このときに発生する真空紫外線（ＶＵＶ）が当該蛍光体を励起させ，透明な前面基板１１０を通じて可視光を放出してプラズマディスプレイパネルの画面を実現する。
【０００８】
このように動作するプラズマディスプレイパネルにおいて，画面の明暗比を示す基準に，明室コントラストと暗室コントラストがある。明室コントラストは，パネル外部に１５０ルックス（ｌｕｘ）以上の光源が存在してプラズマディスプレイパネルが外光の影響を受ける場合のコントラストを意味し，暗室コントラストは，パネル外部に２１ルックス以下の光源が存在してプラズマディスプレイパネルが実質的に外光の影響を受けない場合のコントラストを意味する。
【０００９】
通常のプラズマディスプレイパネルにおける前面基板１１０は，透明なガラス材質からなるので外光反射は避けられずに起こる。外光反射は，パネル外部で発生した光が前面基板１１０を通じて放電セルに到達し，蛍光体層１０７又は誘電層１１６の表面から反射される場合と，前面基板１１０の外側から反射される場合とに区分できる。
【００１０】
まず，外光が放電セルに到達して蛍光体層１０７又は誘電層１１６の表面から反射される場合には，黒色表示の輝度が高くなるので画面の暗室コントラストが低下する。そして，外光が前面基板１１０の外側から反射される場合には，外光反射により画面の一部が遮られて見えなくなり，画面の明室コントラストが低下する問題が発生する。
【００１１】
したがって，従来のプラズマディスプレイパネルでは，放電維持電極１１２，１１３の間に遮光膜（ｌｉｇｈｔ  ｓｈｉｅｌｄｉｎｇ  ｆｉｌｍ）を形成して前面基板１１０を通じて入射される外光を遮断する技術が一般に用いられていた。米国特許第５，９５２，７８２号，米国特許第６，２００，１８２号などでは，このような遮光膜が前面基板と蛍光体層との間に配置されたプラズマディスプレイパネル又はプラズマディスプレイ装置を開示している。
【００１２】
しかし，上記のように，プラズマディスプレイパネルの前面基板内側に放電空間に隣接して遮光膜を配置する場合，遮光膜を構成する光遮断物質が放電セルの放電メカニズムに影響を与え，異常放電を起こすおそれがある。また，遮光膜は，前面基板の外側面から反射される外光については遮光効果を期待し難いため，プラズマディスプレイパネルの外部に蛍光灯のような強い強さの外光が存在する場合には，これによる外光反射を遮断できなくなる。その結果，遮光膜を備えたプラズマディスプレイパネルでは外光反射により画面の一部が遮れたり，画面の明室コントラストが低下する問題を解決できない実情である。
【００１３】
一方，プラズマディスプレイパネルでは赤，緑，青色蛍光体の色特性が画面の色温度を決定するが，従来に用いられていた３種類の蛍光体は，蛍光体効率が互いに異なるために各々異なる輝度比を示す。したがって，色温度を改善するためには，赤，緑，青色蛍光体のうちの輝度比が最も低い色をパネルで補償する必要がある。
【００１４】
従来に提案された色補正のための代表的な方法としては，相対的に最も低い輝度比を示す色，例えば青色を除いた赤色と緑色のアナログ映像信号をデジタル化段階の以前で，ピーク値を色相別に低くするようにガンマ補正をした後，デジタル化することによって赤色と緑色の最高輝度を出す維持パルスの個数を青色に比べて減少させる方法がある。また，相対的に低い輝度比を示す色，例えば青色放電セルの体積を最も大きくし，赤色と緑色放電セルの体積を縮少させて色温度を向上させる方法が提案されている。
【発明の開示】
【発明が解決しようとする課題】
【００１５】
しかしながら，ガンマ補正を利用した前者の方法では，緑色と赤色の最高の明るさを表現するのに必要な２５５個の全ての維持パルスを使用しないため，徐々に明るくなったり徐々に暗くなる映像を表現する際に，緑色と赤色で階段現象が発生する，という問題がある。さらに，非均等放電セルを利用した後者の方法では，不均一な放電セルの体積による誤放電の問題や安定した駆動のための電圧マージンが減る，という問題がある。
【００１６】
したがって，本発明の目的は，放電セルの異常発光を誘発せずに前面基板の外側面で起こる外光反射を効率的に遮断し，画面のコントラストを向上させることができるプラズマディスプレイパネルを提供することにある。
【００１７】
本発明の他の目的は，外光吸収面積を増やしたり外光反射を最小化することができる改善されたパネル内部構造を提供して，画面の明室コントラストを向上させることができるプラズマディスプレイパネルを提供することにある。
【００１８】
本発明のまた他の目的は，赤，緑，青色蛍光体のうちの輝度比が最も低い色を補償して画面の色温度を向上させ，外光反射を抑制して画面の明暗比も向上させることができるプラズマディスプレイパネルを提供することにある。
【課題を解決するための手段】
【００１９】
本発明の一実施形態にかかるプラズマディスプレイパネルは，互いに対向配置される第１基板及び第２基板；前記第２基板に形成されるアドレス電極；前記第１基板と第２基板との間の空間に配置されて複数の放電セルと非放電領域を区画する隔壁；前記各々の放電セル内に形成される蛍光体層；及び前記第１基板の前記アドレス電極と交差する方向に形成される放電維持電極；を含む。前記非放電領域は，隣接した放電セルの中心を結ぶ放電セル横軸と，隣接した放電セルの中心を結ぶ放電セル縦軸とによって囲まれた領域内に配置され，少なくとも前記放電セルを形成する各隔壁の上端幅よりさらに大きな幅を有し，前記第２基板と前記隔壁が形成される層間において前記非放電領域に対応する位置に形成される外光吸収部を含む。
【００２０】
前記外光吸収部は，前記非放電領域の平面形状に近い形状を有するのが好ましい。
【００２１】
前記隣接した放電セルを区画する隔壁は，前記非放電領域をセル構造に形成することができ，前記セル構造に形成される非放電領域が対角に隣接した放電セルを区画する。
【００２２】
前記各々の放電セルは，前記アドレス電極の長さ方向に沿って位置する両端部の幅が前記放電セルの中心から遠くなるほど狭く形成される。なお，前記隔壁は，前記アドレス電極と平行な方向の第１隔壁部材と，前記アドレス電極と平行せずに第１隔壁部材を連結する第２隔壁部材とを含み，前記第２隔壁部材は，前記アドレス電極方向に傾斜した角度に前記第１隔壁部材と交差するように形成される。
【００２３】
前記外光吸収部は前記誘電層に隣接するように提供される。
【００２４】
外光吸収部は前記誘電層上に提供されることができ，前記誘電層上に前記非放電領域と対応する溝が備えられ，この溝内部に前記外光吸収部が位置することもできる。このような外光吸収部は黒色膜からなることができる。
【００２５】
前記外光吸収部は，前記非放電領域に対応する前記誘電層の一部が外光吸収機能がある着色部からなることもできる。
【００２６】
前記着色部は，黒色顔料と青色顔料のうちのいずれか一つ又はこれらの混合物を含むことができる。このとき，前記黒色顔料は，ＦｅＯ，ＲｕＯ２，ＴｉＯ，Ｔｉ３Ｏ５，Ｎｉ２Ｏ３，ＣｒＯ２，ＭｎＯ２，Ｍｎ２Ｏ３，Ｍｏ２Ｏ３，Ｆｅ３Ｏ４，及びこれらの混合物からなる群より少なくとも一つ以上選択される顔料を用いることができる。
【００２７】
一方，前記各々の放電維持電極は，前記各放電セルに一対が対応するバス電極と，このバス電極から前記各放電セルの中心に向かって延在し，一対が互いに対向するように形成される突出電極とを含み，前記突出電極は，前記放電セルの両端部に対応する後端部が前記放電セルの中心から遠くなるほど幅が狭く形成され，前記各放電セルに対応する一対の突出電極のうちの少なくとも一側の突出電極の端部に凹部が形成され，互いに対向する突出電極間に，互いに異なる大きさの第１放電ギャップと第２放電ギャップが形成されるようにすることができる。
【００２８】
このとき，前記放電セルの内部は，Ｘｅを１０％以上含有する放電ガスで満たされることができ，好ましくは，Ｘｅを１０〜６０％含有することもできる。
【００２９】
前記放電維持電極は，前記各々の放電セルに一対が対応するように配置される走査電極と共通電極とで構成され，前記走査電極と共通電極の各々は，前記各放電セルの内部に各々延在して対向するように形成される突出電極を含み，前記突出電極は，前記放電セルの両端部に対応する後端部の幅が互いに対向する各突出電極対向部での幅より狭く形成され，前記アドレス電極は，長さ方向に沿ったライン部と，前記走査電極との対向部分で走査電極の突出電極形状に対応してライン部から拡張された拡張部とを備えることができる。
【００３０】
このとき，前記アドレス電極の拡張部が前記突出電極の対向部と対向する部分で第１幅が形成され，前記突出電極の後端部と対向する部分で第１幅より狭い第２幅が形成されることができる。
【００３１】
前記放電維持電極は，前記各々の放電セルに一対ずつ対応するように配置される走査電極と共通電極とで構成され，前記走査電極と共通電極の各々は，前記アドレス電極と交差する方向に沿って延在するバス電極と，前記バス電極から各放電セルの内部に各々延在して互いに対向するように形成される突出電極とを含み，前記共通電極（Ｘｎ）のバス電極は，毎２列の放電セルごとに隣接する放電セルの間に一つずつ配置され，走査電極（Ｙａ，Ｙｂ）のバス電極は，前記共通電極（Ｘｎ）のバス電極の両側に配置されるようにすることができる。
【００３２】
このとき，前記共通電極（Ｘｎ）の突出電極は，前記共通電極（Ｘｎ）のバス電極からその両側に隣接する放電セルの内部に向かって各々延在して形成され，前記共通電極（Ｘｎ）のバス電極は，前記走査電極のバス電極の幅より広く形成される。
【００３３】
一方，対向配置される第１基板と第２基板との間の空間に放電セルと非放電領域とに区画されるプラズマ放電構造を有するプラズマディスプレイパネルを製造するために，前記第２基板の第１基板対向面上にアドレス電極を形成する段階；前記第２基板に，前記アドレス電極を覆うように基板の一面全体に誘電層を形成する段階；前記非放電領域に区画される位置に，前記誘電層に隣接するように外光吸収部を形成する段階；前記誘電層上部に隔壁を形成して放電セルと非放電領域とを区画する段階；及び前記各々の放電セル内に蛍光体層を形成する段階；を行う。
【００３４】
このとき，前記外光吸収部を形成する段階は，前記誘電層上に黒色顔料を塗布したり，前記非放電領域に区画される誘電層部分に溝を形成し，この溝に黒色顔料を塗布することによって行う。
【００３５】
一方，本発明の他の実施形態にかかるプラズマディスプレイパネルは，互いに対向配置される第１基板及び第２基板；前記第２基板に形成されるアドレス電極；前記第１基板と第２基板との間の空間に配置されて複数の放電セルと非放電領域を区画する隔壁；前記各々の放電セル内に形成される蛍光体層；及び前記第１基板の前記アドレス電極と交差する方向に形成される放電維持電極；を含み，前記非放電領域は，隣接した放電セルの中心を結ぶ放電セル横軸と，隣接した放電セルの中心を結ぶ放電セル縦軸とに囲まれた領域内に配置され，少なくとも前記放電セルを形成する各隔壁の上端幅よりさらに大きな幅を有し，前記第１基板の外側面の前記非放電領域に対応する位置に形成される外光吸収部を含む。
【００３６】
前記外光吸収部は，前記第１基板の外側面に所定の深さを有するように溝を形成し，この溝に光吸収物質を満たすことができる。このとき，前記溝の深さが１００〜３００μｍの範囲に属するのが好ましい。また，光吸収物質は黒色を有するのが好ましい。
【００３７】
本発明の他の実施形態にかかるプラズマディスプレイパネルは，互いに対向配置される第１基板及び第２基板；前記第２基板に形成されるアドレス電極；前記第１基板と第２基板との間の空間に配置されて複数の放電セルと非放電領域を区画する隔壁；前記各々の放電セル内に形成される赤，緑，青色の蛍光体層；及び前記第１基板の前記アドレス電極と交差する方向に形成される放電維持電極；を含み，前記非放電領域は，隣接した放電セルの中心を結ぶ放電セル横軸と，隣接した放電セルの中心を結ぶ放電セル縦軸とによって囲まれた領域内に配置され，少なくとも前記放電セルを形成する各隔壁の上端幅よりさらに大きな幅を有し，前記放電セルのうちの輝度比が相対的に低い放電セルに塗布された蛍光体の色相に該当する顔料を含み，前記第１基板又は第１基板と第２基板の間の前記非放電領域と対応する位置に提供される色補償部を含む。
【００３８】
前記色補償部は，赤色顔料，緑色顔料，青色顔料のうちのいずれか一つを含む。
【００３９】
前記色補償部は前記第１基板の内面に提供されたり，前記非放電領域内に提供されることができる。
【００４０】
特に，前記隣接した放電セルを区画する隔壁が前記非放電領域をセル構造に形成し，前記非放電領域をなすセル内に前記色補償部が提供されることができる。
【００４１】
前記色補償部は，前記第１基板の内面と前記非放電領域に共に提供されることも，また，前記第１基板の外側面に提供されることも可能である。
【００４２】
前記色補償部は，前記第１基板の外面において所定の深さを有するように形成される溝と，この溝に満たされる顔料層とからなることができ，このとき，前記溝の深さが１００〜３００μｍの範囲に属するように形成するのが好ましい。
【００４３】
前記色補償部は，前記非放電領域の平面形状に近い形状を有するようにすることができ，このような色補償部は，全体面積が前記第１基板面積の５０％以下であるのが好ましい。
【発明の効果】
【００４４】
本発明にかかるプラズマディスプレイパネルによれば，非放電領域に対応する部分に外光吸収部を形成することにより，この外光吸収部が表示光を遮らずに外光を吸収するので反射輝度を低減することができる。したがって，前記プラズマディスプレイパネルは，画面の明室コントラストを向上することができ，外光反射によって画面の一部が遮られる現象を防止することができる。
【発明を実施するための最良の形態】
【００４５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００４６】
まず，図１〜図３に基づいて，第１の実施の形態にかかるプラズマディスプレイパネルの構成について説明する。図１は，第１の実施の形態にかかるプラズマディスプレイパネルの部分分解斜視図である。図２は，図１の組立状態を示す部分平面図である。図３は，図１の組立状態を示す部分断面図である。
【００４７】
図１〜図３に示すように，本実施形態にかかるプラズマディスプレイパネルは，第１基板２と第２基板４が任意の間隔をおいて互いに対向配置され，両基板の間の空間には，隔壁６によって区画される放電セル８Ｒ，８Ｇ，８Ｂと非放電領域１０が備えられる。
【００４８】
第２基板４の内面には，一方向（図面のｘ軸方向）に沿ってアドレス電極１２が形成され，アドレス電極１２を覆いながら第２基板４の内面全体に誘電層１４が位置する。アドレス電極１２は，例えばストライプパターンからなることができ，隣接したアドレス電極１２と所定の間隔をおいて並んで位置する。
【００４９】
さらに，誘電層１４上には，隔壁６が配置されて放電セル８Ｒ，８Ｇ，８Ｂと非放電領域１０を区画する。ここで，放電セル８Ｒ，８Ｇ，８Ｂは，内部でガス放電及び発光が起こるように予定された空間であり，非放電領域１０は，ガス放電及び発光が予定されていない領域又は空間を意味する。このような非放電領域１０は，少なくとも放電セル８Ｒ，８Ｇ，８Ｂを形成する各隔壁６の上端幅よりはさらに大幅を有するように形成される。参考までに，図面では，放電セル８Ｒ，８Ｇ，８Ｂと非放電領域１０が各々独立されたセル構造を有するように形成された実施形態を示している。
【００５０】
隔壁６は，放電セル８Ｒ，８Ｇ，８Ｂをアドレス電極方向（図中のｘ軸方向）と，アドレス電極１２と直交する方向（図中のｙ軸方向）とに沿って区画し，各々の放電セル８Ｒ，８Ｇ，８Ｂは，放電ガスの拡散形態を考慮して最適化された形状に構成される。放電セル８Ｒ，８Ｇ，８Ｂの最適化された構造は，各々の放電セル８Ｒ，８Ｇ，８Ｂにおいて，実質的に維持放電と輝度向上に寄与する程度が小さい部分を最小化した形状であって，具体的には，各放電セル８Ｒ，８Ｇ，８Ｂにおいてアドレス電極１２方向に沿って位置する両側端部の幅が放電セル８Ｒ，８Ｇ，８Ｂの中心から遠くなるほど狭くなる形状である。即ち，図１に示すように，放電セル８Ｒ，８Ｇ，８Ｂの中心部での幅（Ｗｃ）は端部での幅（Ｗｅ）より大きくなり，端部での幅（Ｗｅ）は，放電セル８Ｒ，８Ｇ，８Ｂの中心から遠くなるほど狭くなる特性を示す。したがって，放電セル８Ｒ，８Ｇ，８Ｂの両側端部は平面形状が梯形を示し，各放電セル８Ｒ，８Ｇ，８Ｂの全体的な平面形状は八角形をなす。
【００５１】
さらに，各隣接した放電セル８Ｒ，８Ｇ，８Ｂの中心を結ぶ放電セル横軸（ａｂｓｃｉｓｓａ）（Ｈ）に隣接した放電セル８Ｒ，８Ｇ，８Ｂの中心を結ぶ放電セル縦軸（ｏｒｄｉｎａｔｅ）（Ｖ）を仮定した場合，この横軸（Ｈ）と縦軸（Ｖ）によって囲まれた領域内に非放電領域１０が位置する。したがって，上記構造では，アドレス電極１２方向に沿って隣接する一対の放電セルと，アドレス電極１２と直交する方向に沿って隣接する一対の放電セルとからなる４個の放電セルの間に一つの共通された非放電領域１０が位置する。
【００５２】
したがって，隔壁６は，アドレス電極１２と平行な方向の第１隔壁部材６ａと，アドレス電極１２と平行せずに第１隔壁部材６ａを連結する第２隔壁部材６ｂとに区分され，第２隔壁部材６ｂは，第１隔壁部材６ａと所定の傾斜角を有して交差するように形成される。特に，本実施形態にかかる第２隔壁部材６ｂは，アドレス電極１２方向に隣接する放電セルの間で大略エックス（Ｘ）字の模様となる。
【００５３】
さらに，放電セル８Ｒ，８Ｇ，８Ｂ内部には，赤色，緑色，又は青色の蛍光体が各々塗布されて蛍光体層１６Ｒ，１６Ｇ，１６ｂを形成している。
【００５４】
図３に示すように，アドレス電極方向（図面のｘ軸方向）に沿って位置する放電セル８Ｒの両側端部において第２隔壁部材６ｂの上端から測定される深さは，放電セル８Ｒの中心から遠くなるほど小さく形成される。即ち，放電セル８Ｒの端部での深さ（Ｄｅ）は中心部での深さ（Ｄｃ）より小さく，端部での深さ（Ｄｅ）は放電セル８Ｒの中心から遠くなるほど順に浅くなる。このような放電セル８Ｒの深さ特性は，緑色放電セル８Ｇと青色放電セル８Ｂにも同一に適用できる。
【００５５】
一方，第２基板４に対向する第１基板２の内面には，アドレス電極１２と直交する方向（図面のｙ軸方向）に沿って走査電極１８と共通電極２０とからなる放電維持電極２２が形成され，放電維持電極２２を覆いながら，第１基板２の内面全体に透明な誘電層２４とＭｇＯ保護膜２６が順に位置する。
【００５６】
走査電極１８と共通電極２０は，各放電セル８Ｒ，８Ｇ，８Ｂの外郭部でストライプパターンに備えられるバス電極１８ａ，２０ａと，バス電極１８ａ，２０ａから各放電セル８Ｒ，８Ｇ，８Ｂの中心部に向かって延在し，放電ギャップ（Ｇ）を隔てて位置する突出電極１８ｂ，２０ｂとからなる。特に，本実施形態にかかる突出電極１８ｂ，２０ｂは，バス電極１８ａ，２０ａに連結される後端部がバス電極１８ａ，２０ａに向かって幅が狭くなる形状に形成され，突出電極１８ｂ，２０ｂの後端部の両側辺が放電セル８Ｒ，８Ｇ，８Ｂの内壁と並んで配置される。
【００５７】
バス電極１８ａ，２０ａとしては，銀（Ａｇ），アルミニウム（Ａｌ）又は銅（Ｃｕ）のような低抵抗の金属電極が好ましく，突出電極１８ｂ，２０ｂとしては，インジウムスズ酸化物（ＩＴＯ；ｉｎｄｉｕｍ  ｔｉｎ  ｏｘｉｄｅ）のような光透過率に優れた透明電極が好ましい。
【００５８】
一方，第２基板４と隔壁６が形成される層間には，非放電領域１０と対応する位置に外光吸収部が配置される。このような外光吸収部は，第２基板４に形成される誘電層１４に隣接するように提供されることができるが，本実施形態においては，外光吸収部２８が非放電領域１０に対応する誘電層１４上に備えられてプラズマディスプレイパネルの反射輝度を低減させる。
【００５９】
図４は，図１のＢ−Ｂ線に沿って切断した断面図である。外光吸収部２８は，黒色又は黒色に近い暗い色を帯びる顔料層からなり，隔壁６形成工程の以前に誘電層１４上に備えられて第２基板４と隔壁６が形成される層間に存在する。選択的に，外光吸収部２８は，図５に示したように誘電層１４に備えられた溝１４ａ内部に位置することができる。この場合には，誘電層１４と外光吸収部２８との間の段差を減らして誘電層１４と外光吸収部２８からなる層の表面を平坦化するのに有利である。
【００６０】
上記構成の第１基板２と第２基板４はフリットのような密封材により縁が接合され，内部に放電ガス（主にＮｅ−Ｘｅ混合ガス）が満たされた状態で密封されてプラズマディスプレイパネルを構成する。
【００６１】
上記構成により，特定放電セル（例えば，赤色放電セル）のアドレス電極１２と走査電極１８との間にアドレス電圧（Ｖａ）を印加すれば，放電セル８Ｒ内にアドレス放電が起こり，アドレス放電の結果，維持電極２２を覆っている誘電層２４上に壁電荷（ｗａｌｌ  ｃｈａｒｇｅ）が蓄積されてこの放電セル８Ｒを選択する。
【００６２】
次に，選択された放電セル８Ｒの走査電極１８と共通電極２０との間に維持電圧（Ｖｓ）を印加すれば，走査電極１８と共通電極２０との間の放電ギャップ（Ｇ）からプラズマ放電が開始され，プラズマ放電時に作られるＸｅの励起原子から真空紫外線が放出される。そして，真空紫外線が放電セル８Ｒの蛍光層１６Ｒを励起させて可視光を放出させることによって所定の表示が行われる。
【００６３】
このとき，維持電圧（Ｖｓ）によって生成されたプラズマ放電は，放電セル８Ｒの外郭部に向かって大略的な円弧形状に拡散した後に消滅するが，本実施形態においては，各々の放電セル８Ｒ，８Ｇ，８Ｂがプラズマ放電の拡散形態に合せて形成されるので放電セル８Ｒ，８Ｇ，８Ｂの全領域にかけて効率的な維持放電が起き，放電効率を高めることができる。
【００６４】
さらに，放電セル８Ｒ，８Ｇ，８Ｂはまた，放電セル８Ｒ，８Ｇ，８Ｂの外郭部に行くほど放電領域に対する蛍光層１６Ｒ，１６Ｇ，１６ｂの接触面積が増大して発光効率が高まり，さらに，放電セル８Ｒ，８Ｇ，８Ｂの間に位置する非放電領域１０が隣接した放電セルから放出される熱を吸収し，プラズマディスプレイパネル外部に放出させることにより放熱特性を高める役割を果たす。
【００６５】
また，本実施形態にかかる非放電領域１０に対応する誘電層１４上に外光吸収部２８が備えられ，外光吸収部２８が第１基板２を透過してパネル内部に入射した外光を吸収してプラズマディスプレイパネルの反射輝度を低減させることによって画面の明室コントラストを向上させる。
【００６６】
以下では，図６〜図１０に基づいて，本実施形態にかかるプラズマディスプレイパネルの製造方法について説明する。
【００６７】
まず，図６に示すように，第２基板４上に導電ペースト，例えば，銀（Ａｇ）ペーストをストライプパターンに印刷し，乾燥及び焼成してアドレス電極１２を形成する。そして，アドレス電極１２が形成された第２基板４の内面全体に誘電体を印刷，乾燥及び焼成して誘電層１４を完成する。
【００６８】
次に，図７に示すように，非放電領域に区画される誘電層１４上に黒色顔料を塗布して外光吸収部２８を形成する。外光吸収部２８は，例えば，ＭｎＯ２と通常のビヒクル（ｖｅｈｉｃｌｅ），有機バインダー，及びフリットなどを含む黒色ペーストを製作し，これを誘電層１４上に印刷，乾燥及び焼成する過程を通じて容易に製作できる。
【００６９】
一方，図８に示すように，誘電層１４を形成した後，通常のフォトリソグラフィ工程を利用して非放電領域に区画される誘電層１４上に溝１４ａを形成し，この溝１４ａに黒色顔料を塗布して外光吸収部２８を形成することができる。
【００７０】
次に，図９に示すように，誘電層１４上に隔壁６を形成して，放電セル８Ｒ，８Ｇ，８Ｂと非放電領域１０を区画する。隔壁６は，隔壁物質を誘電層１４上に所望のパターンに印刷して乾燥及び焼成したり，隔壁物質を誘電層１４の全面に塗布した後，通常のサンドブラスト工法を利用して放電セル８Ｒ，８Ｇ，８Ｂと非放電領域１０に対応する部分を除去する過程を通じて完成することができる。
【００７１】
さらに，図１０に示すように，放電セル８Ｒ，８Ｇ，８Ｂ内に赤色，緑色又は青色の蛍光物質を印刷し，乾燥及び焼成して蛍光体層１６Ｒ，１６Ｇ，１６ｂを完成する。したがって，放電セル８Ｒ，８Ｇ，８Ｂ内に蛍光体層１６Ｒ，１６Ｇ，１６ｂが位置し，非放電領域１０に対応する誘電層１４上に外光吸収部２８が位置する第２基板４の構造が完成され，このように完成された第２基板４は，放電維持電極と透明誘電層及びＭｇＯ保護膜が形成された第１基板２と組合わせてプラズマディスプレイパネルを構成する。
【００７２】
このように，誘電層１４上に外光吸収部２８を形成した後に隔壁６を形成する本実施形態の構造では，外光吸収部２８が誘電層１４上に所定の厚さで形成されるため，第１誘電層１４上に隔壁６を形成すれば，外光吸収部２８の厚さによってこの部分の隔壁６が突き出て隔壁形成時に自然な段差を形成し，その結果，パネル製造工程中の排気作業時の円滑な排気を図ることができる。
【００７３】
（第２の実施の形態）
次に，図１１〜図１２に基づいて，第２の実施の形態にかかるプラズマディスプレイパネルの構成について説明する。図１１は，本発明の第２の実施の形態にかかるプラズマディスプレイパネルの部分分解斜視図である。図１２は，図１１の組立状態であり，Ｅ−Ｅ線に沿って切断した部分断面図である。なお，上記第１の実施の形態と同一な構成要素に対しては同一の参照符号を付加している。
【００７４】
本実施形態において，誘電層２４は，非放電領域１０に対応する一部が外光吸収機能がある着色部２４ａからなり，プラズマディスプレイパネルの外光吸収面積を拡大させる。着色部２４ａは，黒色顔料と青色顔料のうちのいずれか一つ又はこれらの混合物を含み，黒色又は青色又は黒色に近い暗い青色を示して非放電領域１０対応部を着色させる。
【００７５】
黒色顔料は，ＦｅＯ，ＲｕＯ２，ＴｉＯ，Ｔｉ３Ｏ５，Ｎｉ２Ｏ３，ＣｒＯ２，ＭｎＯ２，Ｍｎ２Ｏ３，Ｍｏ２Ｏ３，Ｆｅ３Ｏ４のうちのいずれか一つ又はこれらの組み合わせからなり，青色顔料は，Ｃｏ２Ｏ３，ＣｏＯ，Ｎｄ２Ｏ３のうちのいずれか一つ又はこれらの組み合わせからなる。着色部２４ａが青色顔料を含んで非放電領域１０が青色を帯びる場合，画面の色純度と色温度を向上させることができる。
【００７６】
このように着色部２４ａを含む誘電層２４は，アドレス電極１２形成の後，非放電領域１０に対応する位置に着色部２４ａを先に形成し，残りの第２基板４の全体を誘電体でコーティングする方法を通じて容易に製作できる。
【００７７】
（第３の実施の形態）
次に，図１３に基づいて，第３の実施の形態にかかるプラズマディスプレイパネルの構成について説明する。図１３は，本発明の第３の実施の形態にかかるプラズマディスプレイパネルを示した部分平面図である。なお，上記第１の実施の形態と同一の構成要素に対しては同一の参照符号を付加している。
【００７８】
図１３に示すように，本実施形態にかかるプラズマディスプレイパネルにおける放電維持電極３０，３１は，アドレス電極１２方向と交差するバス電極３０ａ，３１ａから放電セル８Ｒ，８Ｇ，８Ｂの内部に延在する突出電極３０ｂ，３１ｂを含み，突出電極３０ｂ，３１ｂは，対向する端部の中心部に凹部が形成され，その両側に凸部が形成される。
【００７９】
このように突出電極３０ｂ，３１ｂの端部中心部に凹部と凸部を形成することにより，一つの放電セル８Ｒ，８Ｇ，８Ｂ内で互いに対向する突出電極３０ｂ，３１ｂ間に互いに異なる大きさを有する第１放電ギャップ（Ｇ１）と第２放電ギャップ（Ｇ２）が形成される。即ち，凹部が対向する部位ではロングギャップ（ｌｏｎｇ  ｇａｐ）である第２放電ギャップ（Ｇ２）が形成され，この凹部の両側の凸部が対向する部位ではショートギャップ（ｓｈｏｒｔ  ｇａｐ）である第１放電ギャップ（Ｇ１）が形成されることにより，放電セル８Ｒ，８Ｇ，８Ｂの中心部で生成し始めたプラズマ放電がさらに効率的に拡散することができ，したがって放電効率を高めることができる。
【００８０】
突出電極３０ｂ，３１ｂの端部には，中心部に凹部だけを形成することによってその両側が相対的に凸部になるようにすることができ，通常の端部基準線を中心に凹部と凸部を全て形成することもできる。また，一つの放電セル８Ｒ，８Ｇ，８Ｂに対応する一対の突出電極３０ｂ，３１ｂの全てが上記のような形状を有することもでき，そのうちのいずれか一側だけが上記のような形状を有するようにすることもできる。
【００８１】
第２基板４と隔壁６が形成される層間には，非放電領域１０と対応する位置に外光吸収部３８が配置される。このような外光吸収部３８は，第１の実施の形態のように第２基板４に形成される誘電層１４に隣接するように提供されたり，第２の実施の形態のように非放電領域１０に対応する誘電層２４の一部が外光吸収機能がある着色部２４ａからなって，プラズマディスプレイパネルの外光吸収面積を拡大させるようにすることができる。
【００８２】
一方，放電維持電極３０，３１が第１，第２放電ギャップ（Ｇ１）（Ｇ２）を隔てて位置して放電開始電圧（Ｖｆ）を低くする効果を有することにより，本実施形態においては，放電開始電圧（Ｖｆ）を上げなくても放電ガスのＸｅ含量を多くすることができる。したがって，本実施形態にかかる放電ガスは，１０％以上，好ましく１０〜６０％のＸｅを含有し，多くなったＸｅの含量により維持放電時より強い真空紫外線を放出して，画面の輝度を高める長所を有する。
【００８３】
（第４の実施の形態）
次に，図１４〜図１５に基づいて，第４の実施の形態にかかるプラズマディスプレイパネルの構成について説明する。図１４は，本発明の第４の実施の形態にかかるプラズマディスプレイパネルを示した部分分解斜視図である。図１５は，図１４の部分拡大図である。なお，上記各実施形態と同一の構成要素は，同一の参照符号を付加している。
【００８４】
図１４〜図１５に示すように，本実施形態にかかるプラズマディスプレイパネルも上記各実施形態にかかるプラズマディスプレイパネルと同様に，隔壁６によって放電セル８Ｒ，８Ｇ，８Ｂと非放電領域１０が区画される。そして，アドレス電極４２と交差する方向（図面のｙ軸方向）に沿って放電維持電極１８，２０が形成されるが，放電維持電極１８，２０の各々は，アドレス電極４２と交差する方向に延在するバス電極１８ａ，２０ａとこのバス電極１８ａ，２０ａから各放電セル８Ｒ，８Ｇ，８Ｂの中心に向かって延在し，一対が対向するように形成される突出電極１８ｂ，２０ｂとからなる。また，これら放電維持電極１８，２０は，その役割によって走査電極１８と共通電極２０とに区分されて各放電セル８Ｒ，８Ｇ，８Ｂに対応する。
【００８５】
本実施形態にかかるアドレス電極４２は，走査電極１８と対向する部分に走査電極１８の突出電極１８Ｂ形状に対応する拡張部４２ｂを形成して，走査電極１８との対向面積を拡大させる。即ち，アドレス電極４２は，長さ方向に沿ったライン部４２ａと，走査電極１８と対向する部分において，走査電極１８の突出電極１８ａ形状に沿って幅方向に拡張された拡張部４２ｂとからなる。
【００８６】
特に，図１５に示すように，アドレス電極４２の拡張部４２ｂは，プラズマディスプレイパネルを前面から見た場合，その形状が走査電極１８の突出電極１８Ｂ形状と一致するように突出電極１８Ｂの対向部と対向する部分がＷ３の幅を有する大略的な四角形模様であり，突出電極１８Ｂの後端部と対向する部分がＷ３より小さいＷ４の幅を有し，バス電極１８ａに向かって幅が徐々に狭くなる梯形模様を示す。参考までに，図１５にアドレス電極のライン部４２ａ幅をＷ５に表示しており，アドレス電極４２はＷ３＞Ｗ５，Ｗ４＞Ｗ５の関係を満たす。
【００８７】
このように，アドレス電極４２が走査電極１８と対向する部分に前述した拡張部４２ｂを形成することにより，アドレス電極４２と走査電極１８との間にアドレス電圧を印加する場合にアドレス放電が活性化され，共通電極２０の影響を受けないようになる。したがって，本実施形態にかかるプラズマディスプレイパネルは，アドレス放電が安定化されてアドレス放電と維持放電時の誤放電を防止し，アドレス電圧マージンが高くなる長所を有する。
【００８８】
本実施形態にかかる第２基板４と隔壁６が形成される層間には，非放電領域１０と対応する位置に外光吸収部４８が配置される。このような外光吸収部４８は，第１の実施の形態のように第２基板４に形成される誘電層１４に隣接するように提供されたり，第２の実施の形態のように非放電領域１０に対応する誘電層１４の一部が外光吸収機能がある着色部からなって，プラズマディスプレイパネルの外光吸収面積を拡大させる。
【００８９】
（第５の実施の形態）
次に，図１６に基づいて，第５の実施の形態にかかるプラズマディスプレイパネルの構成について説明する。なお，図１６は，本発明の第５の実施の形態にかかるプラズマディスプレイパネルを示した部分分解斜視図である。なお，上記各実施形態と同一の構成要素に対しては，同一の参照符号を付加している。
【００９０】
図１６に示すように，本実施形態にかかるプラズマディスプレイパネルも上記第１の実施の形態にかかるプラズマディスプレイパネルと同様に，隔壁６によって放電セル８Ｒ，８Ｇ，８Ｂと非放電領域１０が区画される。さらに，アドレス電極１２と交差する方向（図面のｙ軸方向）に沿って放電維持電極が形成されるが，放電維持電極の各々は，その役割によって走査電極（Ｙａ，Ｙｂ）と共通電極（Ｘｎ，ｎ＝１，２，３，…）とに区分されて各放電セル８Ｒ，８Ｇ，８Ｂに対応する。
【００９１】
このような走査電極（Ｙａ，Ｙｂ）及び共通電極（Ｘｎ）は，アドレス電極１２と交差する方向に長く延在して形成されるバス電極５０ｂ，５１ｂと，このバス電極５０ｂ，５１ｂから各放電セル８Ｒ，８Ｇ，８Ｂの中心に向かって延在し，一対が対向するように形成される突出電極５０ａ，５１ａとからなる。このとき，走査電極（Ｙａ，Ｙｂ）は，アドレス電極との相互作用によって放電セルを選択する役割を果たし，共通電極（Ｘｎ）は，走査電極（Ｙａ，Ｙｂ）との間で放電開始及び維持放電を起こす役割を果たす。
【００９２】
本実施形態にかかる共通電極（Ｘｎ）のバス電極５１ｂは，毎２列の放電セルごとに隣接する放電セルの間に一つずつ配置され，走査電極（Ｙａ，Ｙｂ）のバス電極５０ｂは，共通電極（Ｘｎ）のバス電極５１ｂの両側に配置される。したがって，奇数列に配置された走査電極をＹａとし，偶数列に配置された走査電極をＹｂとすれば，本実施形態の放電維持電極は，プラズマディスプレイパネル全体的にＹａ−Ｘ１−Ｙｂ−Ｙａ−Ｘ２−Ｙｂ−Ｙａ−Ｘ３−Ｙｂ−…−Ｙａ−Ｘｎ−Ｙｂのようなパターンに配置され，共通電極（Ｘｎ）は，両側に隣接した放電セル全ての放電に関与できるようになる。
【００９３】
また，共通電極（Ｘｎ）のバス電極５１ｂは，走査電極（Ｙａ，Ｙｂ）のバス電極５０ｂより配列方向の幅がさらに大きく形成されるが，これは共通電極（Ｘｎ）のバス電極５１ｂが外光を吸収することによって明室コントラストを向上させるからである。
【００９４】
本実施形態にかかる第２基板４と隔壁６が形成される層間には，非放電領域１０と対応する位置に外光吸収部５８が配置される。このような外光吸収部は，第１の実施の形態のように第２基板４に形成される誘電層に隣接するように提供されたり，第２の実施の形態のように非放電領域１０に対応する誘電層の一部が外光吸収機能がある着色部からなって，プラズマディスプレイパネルの外光吸収面積を拡大させる。
【００９５】
（第６の実施の形態）
次に，図１７〜図１８に基づいて，第６の実施の形態にかかるプラズマディスプレイパネルの構成について説明する。なお，図１７は，本発明の第６の実施の形態にかかるプラズマディスプレイパネルの部分分解斜視図である。図１８は，第１基板の部分断面図である。なお，上記各実施形態と同一の構成要素に対しては，同一の参照符号を付加している。
【００９６】
図１７〜図１８に示すように，本実施形態にかかるプラズマディスプレイパネルは，上記第１の実施の形態にかかるプラズマディスプレイパネルと同様な基本的な構成を有する。即ち，第１基板２と第２基板４が任意の間隔をおいて互いに対向配置され，両基板の間の空間には，隔壁６によって区画される放電セル８Ｒ，８Ｇ，８Ｂと非放電領域１０が備えられる。さらに，本実施形態においては，外光が入射する第１基板２の外側面の非放電領域１０に対応する位置に外光反射を抑制するための外光吸収部６８が形成される。
【００９７】
より具体的に，隔壁６は，各々の放電セル８Ｒ，８Ｇ，８Ｂをアドレス電極１４方向と，アドレス電極１４と直交する方向（図面のｘ軸方向）とに沿って区画し，各々の放電セル８Ｒ，８Ｇ，８Ｂは，放電ガスの拡散形態を考慮して最適化された形状に構成される。これとともに，隣接した各放電セル８Ｒ，８Ｇ，８Ｂの中心を結ぶ横軸（Ｈ）と縦軸（Ｖ）を仮定した場合，この横軸（Ｈ）と縦軸（Ｖ）によって囲まれた領域内に非放電領域１０が位置する。
【００９８】
放電セル８Ｒ，８Ｇ，８Ｂの最適化された構造は，各々の放電セル８Ｒ，８Ｇ，８Ｂからアドレス電極１４方向に位置する両側端部の幅（アドレス電極と直交する方向による幅）が，各放電セル８Ｒ，８Ｇ，８Ｂの中心から遠くなるほど狭くなる形状を意味する。
【００９９】
放電維持電極１８，２０は，ストライプパターンに形成されて各放電セル８Ｒ，８Ｇ，８Ｂに一対が対応するバス電極１８ａ，２０ａと，バス電極１８ａ，２０ａから各放電セル８Ｒ，８Ｇ，８Ｂの内部に向かって延在し，一対が対向するように形成される突出電極１８ｂ，２０ｂとからなる。このような突出電極１８ｂ，２０ｂは，第１の実施の形態の図２を参照すれば，放電セル８Ｒ，８Ｇ，８Ｂの両側端部に対応する後端部の両側辺の放電セル８Ｒ，８Ｇ，８Ｂの内壁と並んで形成されることができる。即ち，本実施形態にかかる突出電極１８ｂ，２０ｂの後端部は，放電セル８Ｒ，８Ｇ，８Ｂの端部形状と一致するように，バス電極１８ａ，２０ａに向かって幅が狭くなる梯形形状に形成される。
【０１００】
外光が入射する第１基板２の外側面には，非放電領域１０に対応する位置に複数の外光吸収部６８が形成される。外光吸収部６８は，非放電領域１０に対応する位置特性により，蛍光層１６Ｒ，１６Ｇ，１６ｂの発光による表示光を遮らずにプラズマディスプレイパネルに入射する外光の一部を吸収して，外光反射遮断効果を極大化する。
【０１０１】
このような外光吸収部６８は，図１８に詳細に示すように，第１基板２の外側において非放電領域１０に対応して所定の深さを有するように形成される溝６８ａと，この溝６８ａに満たされる黒色の光遮断物質６８Ｂとからなる。光遮断物質６８Ｂは黒色を示す材料であれば差し支えず，例えば，従来の遮断膜と同一材料でもよい。
【０１０２】
溝６８ａは，通常のサンドブラスト（ｓａｎｄ  ｂｌａｓｔ）あるいはエッチング方法によって第１基板２の外側に容易に形成されることができ，溝６８ａの深さは，第１基板２にクラックが発生しない適正範囲，好ましく１００〜３００μｍの深さで形成されることができる。そして，外光吸収部６８の平面形状は非放電領域１０の平面形状と同一に形成されることができるが，必ずこれに限定されない。
【０１０３】
外光吸収部６８は，プラズマディスプレイパネルに入射する外光を吸収（図１８の矢印参考）して外光が放電セル内部に透過することを抑制する。したがって，外光吸収部６８が第１基板２の外側で起こる外光反射を最小化して画面の明室コントラストを向上させ，外光反射によって画面の一部が遮れる現象を効果的に防止する。さらに，外光吸収部６８は第１基板２の内面でない第１基板２の外側に位置するので，放電セル８Ｒ，８Ｇ，８Ｂに影響を与えずに放電セル８Ｒ，８Ｇ，８Ｂの異常放電を予防する効果がある。
【０１０４】
第６の実施の形態にかかるプラズマディスプレイパネルは，その本来の特徴を維持した状態で上記第３の実施の形態〜第５の実施の形態にかかるプラズマディスプレイパネルの特徴を選択的に適用することができる。
【０１０５】
（第７の実施の形態）
次に，図１９〜図２０に基づいて，第７の実施の形態にかかるプラズマディスプレイパネルの構成について説明する。図１９は，本発明の第７の実施の形態にかかるプラズマディスプレイパネルの部分分解斜視図である。図２０は，第１基板の部分断面図である。なお，上記各実施形態と同一の構成要素に対しては，同一な参照符号を付加している。
【０１０６】
図１９〜図２０に示すように，本実施形態にかかるプラズマディスプレイパネルも上記第１の実施の形態にかかるプラズマディスプレイパネルと同様に，互いに対向する第１基板２と第２基板４との間の空間において，隔壁６によって放電セル８Ｒ，８Ｇ，８Ｂと非放電領域１０が区画される。そして，一方向に沿って複数が並べて形成されるアドレス電極１２と交差する方向（図面のｙ軸方向）に沿って放電維持電極１８，２０が形成されて，各放電セル２７Ｒ，２７Ｇ，２７Ｂに対応する。このような放電維持電極１８，２０は，各々アドレス電極１２の方向に長く延在して形成されるバス電極１８ａ，２０ａと，これらから各々延在して一対が互いに対向するように形成される突出電極１８ｂ，２０ｂとを含み，突出電極１８ｂ，２０ｂは，放電セル８Ｒ，８Ｇ，８Ｂの中心から遠くなるほど幅が狭くなるように形成される。
【０１０７】
非放電領域１０と対向する第１基板２の内面には，蛍光層１６Ｒ，１６Ｇ，１６ｂを構成する赤，緑，青色の蛍光体のうち輝度比が相対的に最も低い色相の顔料を含む色補償部７１が備えられる。色補償部７１は図２０によく示されているように，赤，緑，青色の蛍光体のうち輝度比が最も低い色相の顔料が塗布された膜からなり，非放電領域１０の平面形状と同一な模様に形成されることができる。
【０１０８】
即ち，色補償部７１は，赤，緑，青色の蛍光体のうち赤色の輝度比が最も低い場合，赤色の顔料が塗布された膜となって赤色を補償し，緑色の輝度比が最も低い場合，緑色の顔料が塗布された膜となって緑色を補償する。また，色補償部７１は，赤，緑，青色の蛍光体のうち青色の輝度比が最も低い場合，青色の顔料が塗布された膜となって青色を補償する。
【０１０９】
したがって，本実施形態にかかるプラズマディスプレイパネルは，色補償部７１により色純度と色温度を向上させ，ガンマ補正がなくても白色輝度を高める効果がある。また，色補償部７１がパネル外部において第１基板２を透過した外光を一定部分吸収するので，画面の明暗比を向上させる効果も得られる。
【０１１０】
好ましく，色補償部７１は，第１基板２に形成された色補償部７１の全体面積が第１基板２面積の５０％以下となるように形成される。また，色補償部７１は，光透過による色補償率，即ち，色温度上昇比率が第１基板２，突出電極１８ｂ，２０ｂ，透明誘電層２４，及びＭｇＯ保護膜２６の透過率を合せたものより小さく，従来のブラックストライプの光透過率より大きいことを特徴とする。
【０１１１】
（第８の実施の形態）
次に，図２１に基づいて，第８の実施の形態にかかるプラズマディスプレイパネルの構成について説明する。なお，図２１は，第８の実施の形態にかかるプラズマディスプレイパネルを示したものである。
【０１１２】
本実施形態においては，図２１に示すように，上記実施形態の構造を基本としながら，色補償部７３が第１基板２内面に形成されず，第２基板４に備えられた非放電領域１０内に形成されることによってプラズマディスプレイパネルを構成する。即ち，本変形例で色補償部７３は非放電領域１０を囲む隔壁６の側面と誘電層１４の上面にかけて形成され，赤，緑，青色の蛍光体のうち輝度比が最も低い顔料を含む。
【０１１３】
（第９の実施の形態）
次に，図２２に基づいて，第９の実施の形態にかかるプラズマディスプレイパネルの構成について説明する。なお，図２２は，第９の実施の形態にかかるプラズマディスプレイパネルを示したものである。
【０１１４】
本実施形態においては，色補償部７１，７３は非放電領域１０と対向する第１基板２の内面に形成されると同時に，第２基板４において非放電領域１０を囲む隔壁６の側面と誘電層１４の上面にかけて形成される。
【０１１５】
（第１０の実施の形態）
次に，図２３に基づいて，第１０の実施の形態にかかるプラズマディスプレイパネルの構成について説明する。なお，図２３は，第１０の実施の形態にかかるプラズマディスプレイパネルを示したものである。
【０１１６】
本実施形態においては，色補償部７５が第１基板２内面に形成されず，第１基板２の外側面において非放電領域１０と対応する位置に備えられてプラズマディスプレイパネルを構成する。特に，本変形例で色補償部７５は，第１基板２の外側面で所定の深さを有するように形成される溝７５ａと，この溝７５ａに満たされる顔料層７５ｂとからなる。
【０１１７】
溝７５ａは，通常のサンドブラスト又はエッチング方法によって第１基板２の外面に容易に形成でき，溝７５ａの深さは第１基板２にクラックが発生しない適正範囲，好ましくは１００〜３００μｍの深さで形成されることができる。
【０１１８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１１９】
また，上記第８の実施の形態と第９の実施の形態においては，第１基板２に形成された色補償部７１は非放電領域１０の平面形状と同一な模様からなるが，必ずこれに限定されない。
【０１２０】
また，上記第７の実施の形態〜第１０の実施の形態にかかるプラズマディスプレイパネルは，その本来の特徴を維持した状態で上記第３の実施の形態〜第５の実施の形態にかかるプラズマディスプレイパネルの特徴を選択的に適用することができる。
【産業上の利用可能性】
【０１２１】
本発明は，プラズマディスプレイ装置に適用可能である。
【図面の簡単な説明】
【０１２２】
【図１】本発明の第１の実施の形態にかかるプラズマディスプレイパネルの部分分解斜視図である。
【図２】図１の組立状態を示す部分平面図である。
【図３】図１の組立状態で，Ａ−Ａ線に沿って切断した部分断面図である。
【図４】図１のＢ−Ｂ線に沿って切断した部分断面図である。
【図５】本発明の第１の実施の形態の変形例を示した断面図である。
【図６】本発明の第１の実施の形態にかかるプラズマディスプレイパネルの製造方法を説明するための概略図である。
【図７】本発明の第１の実施の形態にかかるプラズマディスプレイパネルの製造方法を説明するための概略図である。
【図８】本発明の第１の実施の形態にかかるプラズマディスプレイパネルの製造方法を説明するための概略図である。
【図９】本発明の第１の実施の形態にかかるプラズマディスプレイパネルの製造方法を説明するための概略図である。
【図１０】本発明の第１の実施の形態にかかるプラズマディスプレイパネルの製造方法を説明するための概略図である。
【図１１】本発明の第２の実施の形態にかかるプラズマディスプレイパネルの部分分解斜視図である。
【図１２】図１１のＥ−Ｅ線に沿って切断した部分断面図である。
【図１３】本発明の第３の実施の形態にかかるプラズマディスプレイパネルを示した部分平面図である。
【図１４】本発明の第４の実施の形態にかかるプラズマディスプレイパネルを示した部分分解斜視図である。
【図１５】図１４の１放電セルを拡大して示した部分平面図である。
【図１６】本発明の第５の実施の形態にかかるプラズマディスプレイパネルを示した部分平面図である。
【図１７】本発明の第６の実施の形態にかかるプラズマディスプレイパネルを示した部分分解斜視図である。
【図１８】本発明の第６の実施の形態にかかるプラズマディスプレイパネルの前面基板を示した部分断面図である。
【図１９】本発明の第７の実施の形態にかかるプラズマディスプレイパネルを示した部分分解斜視図である。
【図２０】本発明の第７の実施の形態にかかるプラズマディスプレイパネルの前面基板を示した部分断面図である。
【図２１】本発明の第８の実施の形態にかかるプラズマディスプレイパネルを示した部分分解斜視図である。
【図２２】本発明の第９の実施の形態にかかるプラズマディスプレイパネルを示した部分分解斜視図である。
【図２３】本発明の第１０の実施の形態にかかるプラズマディスプレイパネルを示した部分断面図である。
【図２４】従来技術にかかるプラズマディスプレイパネルを示した部分分解斜視図である。
【符号の説明】
【０１２３】
２  第１基板
４  第２基板
６，１０５  隔壁
６ａ  第１隔壁部材
６ｂ  第２隔壁部材
８Ｒ，８Ｇ，８Ｂ  放電セル
１０  非放電領域
１２，４２，１０１  アドレス電極
１４，２４，１０３，１１６  誘電層
１４ａ，６８ａ，７５ａ  溝
１６Ｒ，１６Ｇ，１６Ｂ，１０７  蛍光体層
１８  走査電極
１８ａ，２０ａ，３０ａ，３１ａ，５０ｂ，５１ｂ  バス電極
１８ｂ，２０ｂ，３０ｂ，３１ｂ，５０ａ，５１ａ  突出電極
２０  共通電極
２２，３０，３１，１１２，１１３，１１４  放電維持電極
２４ａ  着色部
２６，１１８  ＭｇＯ保護膜
２８，３８，４８，５８，６８  外光吸収部
４２ａ  ライン部
４２ｂ  拡張部
６８ｂ  光遮断物質
７１，７３，７５  色補償部
７５ｂ  顔料層
１００  背面基板
１１０  前面基板
【図１】
2005019405.tif 000003
【図２】
2005019405.tif 000004
【図３】
2005019405.tif 000005
【図４】
2005019405.tif 000006
【図５】
2005019405.tif 000007
【図６】
2005019405.tif 000008
【図７】
2005019405.tif 000009
【図８】
2005019405.tif 000010
【図９】
2005019405.tif 000011
【図１０】
2005019405.tif 000012
【図１１】
2005019405.tif 000013
【図１２】
2005019405.tif 000014
【図１３】
2005019405.tif 000015
【図１４】
2005019405.tif 000016
【図１５】
2005019405.tif 000017
【図１６】
2005019405.tif 000018
【図１７】
2005019405.tif 000019
【図１８】
2005019405.tif 000020
【図１９】
2005019405.tif 000021
【図２０】
2005019405.tif 000022
【図２１】
2005019405.tif 000023
【図２２】
2005019405.tif 000024
【図２３】
2005019405.tif 000025
【図２４】
2005019405.tif 000026